(57)【特許請求の範囲】
【請求項１】
ＵＨＦ帯の交信周波数により通信するアンテナと該アンテナのインピーダンスを調整するマッチング回路とを備えたＲＦＩＤタグを検査するＲＦＩＤタグの検査方法であって、
前記マッチング回路にリーダライタのアンテナコイルを対向させ、該アンテナコイルから発信させた磁束によりＲＦＩＤタグの制御回路を動作させて該ＲＦＩＤタグを検査する
ＲＦＩＤタグの検査方法。
【請求項２】
前記リーダライタのアンテナコイルの大きさを、前記ＲＦＩＤタグのマッチング回路と同程度の大きさにした
請求項１に記載のＲＦＩＤタグの検査方法。
【請求項３】
定間隔に配列された複数のＲＦＩＤタグのマッチング回路と、各マッチング回路の配列間隔と略同一の配列間隔で複数個並べたリーダライタのアンテナコイルとを対向させて複数個同時に検査する
請求項１または２に記載のＲＦＩＤタグの検査方法。
【請求項４】
ＵＨＦ帯の交信周波数により通信するアンテナと該アンテナのインピーダンスを調整するマッチング回路とを備えたＲＦＩＤタグを検査するＲＦＩＤタグの検査装置であって、
前記マッチング回路に対向して磁束を発信するアンテナコイルを備えた
ＲＦＩＤタグの検査装置。
【請求項５】
前記リーダライタのアンテナコイルの大きさを、前記ＲＦＩＤタグのマッチング回路と同程度の大きさに形成した
請求項４に記載のＲＦＩＤタグの検査装置。
【請求項６】
前記アンテナコイルを複数個並べて備え、各アンテナコイルに１つずつ対向する複数のＲＦＩＤタグを同時に検査する構成とした
請求項４または５に記載のＲＦＩＤタグの検査装置。
【請求項７】
ＵＨＦ帯の交信周波数により通信するアンテナと該アンテナのインピーダンスを調整するマッチング回路とを備えたＲＦＩＤタグと通信するＲＦＩＤタグの通信方法であって、
前記マッチング回路にリーダライタのアンテナコイルを対向させ、該アンテナコイルから発信させた磁束によってＲＦＩＤタグの制御回路と通信する
ＲＦＩＤタグの通信方法。
【請求項８】
前記リーダライタのアンテナコイルの大きさを、前記ＲＦＩＤタグのマッチング回路と同程度の大きさにした
請求項７に記載のＲＦＩＤタグの通信方法。
【請求項９】
定間隔に配列された複数のＲＦＩＤタグのマッチング回路と、各マッチング回路の配列間隔と略同一の配列間隔で複数個並べたリーダライタのアンテナコイルとを対向させて複数個同時に通信する
請求項７または８に記載のＲＦＩＤタグの通信方法。
【請求項１０】
ＵＨＦ帯の交信周波数により通信するアンテナと該アンテナのインピーダンスを調整するマッチング回路とを備えたＲＦＩＤタグと通信するＲＦＩＤタグの通信装置であって、
前記マッチング回路に対向して磁束を発信するアンテナコイルを備えた
ＲＦＩＤタグの通信装置。
【請求項１１】
前記リーダライタのアンテナコイルの大きさを、前記ＲＦＩＤタグのマッチング回路と同程度の大きさに形成した
請求項１０に記載のＲＦＩＤタグの通信装置。
【請求項１２】
前記アンテナコイルを複数個並べて備え、各アンテナコイルに１つずつ対向する複数のＲＦＩＤタグと同時に通信する構成とした
請求項１０または１１に記載のＲＦＩＤタグの通信装置。
【請求項１３】
請求項７〜９に用いられるＲＦＩＤタグであって、
前記アンテナ回路基板の一部に、前記マッチング回路は破壊せず、ＵＨＦ帯で通信するアンテナ構造を、剥離位置を特定して破壊させる剥離位置特定手段を備えた
ＲＦＩＤタグ。
【発明の詳細な説明】
【技術分野】
【０００１】
この発明は、ＵＨＦ帯の電波を用いて離れた位置から通信利用されるＲＦＩＤ(Radio Frequency Identification)タグの検査方法に関し、さらに詳しくは出荷前のＲＦＩＤタグを的確に検査するＲＦＩＤタグの検査方法とその装置、ＲＦＩＤタグの通信方法とその装置及びＲＦＩＤタグに関する。
【背景技術】
【０００２】
近年、物流などの分野において自動化することが推進されている。この物流の自動化を推進しようとする場合、個々の物品に貼付される伝票等に記録させている情報を機械により読み取り可能とすることが重要になる。この自動化を実現する方法として、個々の伝票にその記録された情報に対応したバーコードラベルを貼付することが従来から行われている。
【０００３】
しかし、バーコードリーダを用いてバーコードラベルを読み取るためには、バーコードリーダとバーコードラベルとの距離、及びバーコードリーダをバーコードラベルに向ける方向を高精度に対応させなければならない。この距離と方向との対応は、その都度、手作業で行うため時間がかかり、バーコードの読み取り作業が物流を円滑化するときの障害になっていた。さらに、バーコードに入力できる情報量は少ないため、バーコードラベルを用いて管理できる区域は狭い区域に限られていた。
【０００４】
このような背景から近年では、誘導電磁界あるいは電波を用いて非接触に読み取りができるＲＦＩＤタグが注目されている。このＲＦＩＤタグによれば、読み取り媒体として誘導電磁界あるいは電波を用いることから、読み取りに際しては距離的並びに方向的な制約をさほど受けなくなる。例えば、電波を用いるＲＦＩＤタグは読み取りの方向性に制約を受けることがなく、１Ｍ〜５Ｍの距離からでも、その記録された情報を確実に読み取ることができる。
【０００５】
ここで、ＲＦＩＤタグの基本的な構成は、内部に無線周波数インタフェース部と制御論理部及び記憶部が設けられたＩＣチップと、電磁波を送受信するためのアンテナ回路基板との２つであり、その代表的な交信媒体として、交信周波数に８５０〜９６０ＭＨｚのＵＨＦ帯の電波を用いるものがある。
【０００６】
通常、ＲＦＩＤタグを検査する場合は、ＩＣ等の電子部品とアンテナ回路とを接続してＲＦＩＤタグを構成した後、電波によって非接触に交信することにより検査している。
【０００７】
他方、図８に例示するＵＨＦ帯の交信周波数を用いるＲＦＩＤタグ（図１参照）８０では、３列に並列されたＲＦＩＤタグ８０の下方にリーダライタのアンテナ８１を対応させた場合、検査対象のＲＦＩＤタグ８０の全体がアンテナ８１が作る電波領域８２内に入らなければ交信できない。このため、図８に示すような形態でＲＦＩＤタグ８０を連続的に検査する場合に、検査対象のＲＦＩＤタグ８０に並列されている別のＲＦＩＤタグ８０が電波領域８２内に入ってしまい、干渉の原因になり、検査対象のＲＦＩＤタグ８０の正確な検査ができないという問題が生じる。
【０００８】
こうした問題を解決するため、ＵＨＦ帯のＲＦＩＤタグの検査を正確に行う方法の一例として、特許文献１に開示されているように、電波の拡散を防止するシールド箱（電波遮蔽装置）を備えることによって電波が遮蔽される空間に交信領域を作成し、この空間内に検査対象のＲＦＩＤタグのみを供給して検査する方法が提案されている。
【０００９】
ところが、このような従来のＲＦＩＤタグの検査方法においては、シールド箱を設けるために検査装置が大型化するという問題があり、シールド箱を、検査対象のＲＦＩＤタグの外形サイズに合せる必要があるため、ＲＦＩＤタグの形態やサイズが異なった場合に同一装置で交信検査することができないという問題を有していた。
【００１０】
【特許文献１】特開２００４−２７２４３７号公報
【発明の開示】
【発明が解決しようとする課題】
【００１１】
この発明は、上述の問題点に着目してなされたもので、電波によって通信されるＲＦＩＤタグの交信状態を検査する方法において、電波遮蔽装置を省略しても、検査対象のＲＦＩＤタグだけに対して正確に検査または通信することができる方法と装置及びＲＦＩＤタグを提供することを目的とする。
【課題を解決するための手段】
【００１２】
この発明は、ＵＨＦ帯の交信周波数により通信するアンテナと該アンテナのインピーダンスを調整するマッチング回路とを備えたＲＦＩＤタグを検査するＲＦＩＤタグの検査方法であって、前記マッチング回路にリーダライタのアンテナコイルを対向させ、該アンテナコイルから発信させた磁束によりＲＦＩＤタグの制御回路を動作させて該ＲＦＩＤタグを検査するＲＦＩＤタグの検査方法であることを特徴とする。
【００１３】
この発明の態様として、前記リーダライタのアンテナコイルの大きさを、前記ＲＦＩＤタグのマッチング回路と同程度の大きさにしてＲＦＩＤタグを検査することができる。
【００１４】
またこの発明の態様として、定間隔に配列された複数のＲＦＩＤタグのマッチング回路と、各マッチング回路の配列間隔と略同一の配列間隔で複数個並べたリーダライタのアンテナコイルとを対向させて複数個同時に検査することができる。
【００１５】
またこの発明は、ＵＨＦ帯の交信周波数により通信するアンテナと該アンテナのインピーダンスを調整するマッチング回路とを備えたＲＦＩＤタグを検査するＲＦＩＤタグの検査装置であって、前記マッチング回路に対向して磁束を発信するアンテナコイルを備えてＲＦＩＤタグを検査することができる。
【００１６】
この発明の態様として、前記リーダライタのアンテナコイルの大きさを、前記ＲＦＩＤタグのマッチング回路と同程度の大きさに形成してＲＦＩＤタグを検査することができる。
【００１７】
またこの発明の態様として、前記アンテナコイルを複数個並べて備え、各アンテナコイルに１つずつ対向する複数のＲＦＩＤタグを同時に検査する構成にしてＲＦＩＤタグを検査することができる。
【００１８】
またこの発明は、ＵＨＦ帯の交信周波数により通信するアンテナと該アンテナのインピーダンスを調整するマッチング回路とを備えたＲＦＩＤタグと通信するＲＦＩＤタグの通信方法であって、前記マッチング回路にリーダライタのアンテナコイルを対向させ、該アンテナコイルから発信させた磁束によってＲＦＩＤタグの制御回路と通信するＲＦＩＤタグの通信方法であることを特徴とする。
【００１９】
この発明の態様として、前記リーダライタのアンテナコイルの大きさを、前記ＲＦＩＤタグのマッチング回路と同程度の大きさに設けてＲＦＩＤタグと通信することができる。
【００２０】
またこの発明の態様として、定間隔に配列された複数のＲＦＩＤタグのマッチング回路と、各マッチング回路の配列間隔と略同一の配列間隔で複数個並べたリーダライタのアンテナコイルとを対向させて複数個同時に通信することができる。
【００２１】
またこの発明は、ＵＨＦ帯の交信周波数により通信するアンテナと該アンテナのインピーダンスを調整するマッチング回路とを備えたＲＦＩＤタグと通信するＲＦＩＤタグの通信装置であって、前記マッチング回路に対向して磁束を発信するアンテナコイルを備えてＲＦＩＤタグと通信することができる。
【００２２】
この発明の態様として、前記リーダライタのアンテナコイルの大きさを、前記ＲＦＩＤタグのマッチング回路と同程度の大きさに形成してＲＦＩＤタグと通信することができる。
【００２３】
またこの発明の態様として、前記アンテナコイルを複数個並べて備え、各アンテナコイルに１つずつ対向する複数のＲＦＩＤタグと同時に通信する構成にしてＲＦＩＤタグと通信することができる。
【００２４】
さらに、この発明の態様として、前記ＲＦＩＤタグの通信方法に用いられるＲＦＩＤタグであって、前記アンテナ回路基板の一部に、前記マッチング回路は破壊せず、ＵＨＦ帯で通信するアンテナ構造を、剥離位置を特定して破壊させる剥離位置特定手段を備えてＲＦＩＤタグを構成することができる。
【発明の効果】
【００２５】
この発明によれば、ＲＦＩＤタグの形状や大きさなどにかかわらず、簡単な構成で安定したＲＦＩＤタグの検査ができる。
【実施例】
【００２６】
この発明の一実施例を以下図面に基づいて説明する。  
図１は８５０〜９６０ＭＨｚのＵＨＦ帯の周波数を使用するＲＦＩＤ（Radio  Frequency  Identification）タグ１１を示し、図１(Ａ)はＲＦＩＤタグ１１の平面図を、図１(Ｂ)はＲＦＩＤタグ１１の正面図を示す。このＲＦＩＤタグ１１は長方形のシート状に形成されたアンテナ回路基板１２と、該アンテナ回路基板１２より充分小さい長方形に形成されたＩＣモジュール１３とで構成されている。
【００２７】
前記アンテナ回路基板１２は、ＰＥＴ(ポリエチレンテレフタレート)製で長方形のフィルム１４の上面に、該フィルム１４より一回り小さい銅製のアンテナ１５が設けられている。このフィルム１４とアンテナ１５は、いずれも肉厚が一定で、適度に湾曲可能な柔らかさを有するシート状の部材である。
【００２８】
前記アンテナ１５は、中央に略四角形状のくり貫き部１６が設けられた形状のプリント回路である。該くり貫き部１６の図示上下は、ＩＣモジュール１３の接続部１７，１７になっており、図示上方の接続部１７の左側にスリット１６ａが設けられている。また、該アンテナ１５の上面には、図示省略する絶縁層が設けられている。
【００２９】
前記ＩＣモジュール１３は、アンテナ１５の図示上下の接続部１７，１７間上にシート状の小さなスラップ１８を介してＩＣチップ（半導体ベアチップ）１９が搭載されている。このＩＣチップ１９は、内部に記憶部、共振回路、整流回路、電圧検知回路、制御回路、及び定電圧回路が設けられた一般的なものである。
【００３０】
ここで、前記アンテナ１５のくり貫き部１６のうち、スラップ１８の右側に逆Ｌ形状を形成している閉鎖穴１６ｂは、ＵＨＦ帯の交信周波数によって通信する該アンテナ１５全体のインピーダンスを調整するためのマッチング回路２０として形成したものであり、この閉鎖穴１６ｂを囲む外周部分がマッチング回路２０となり、このマッチング回路２０に対し、後述するリーダライタ側の同程度の大きさに設けたアンテナコイルを対設させて交信するものである。
【００３１】
図２に、この発明に係わるＲＦＩＤタグ１１の検査方法を示す。このＲＦＩＤタグ１１の検査方法は、ＲＦＩＤタグ１１のアンテナ１５に形成されたマッチング回路２０のほぼ直上に、該マッチング回路２０とほぼ同一の外形サイズに形成された１〜数ターン（図においては２ターン）のアンテナコイル２１を対設する。このときのアンテナ１５とマッチング回路２０の対向間隔は、例えば数ｍｍ程度空けた対向間隔に設置し、リーダライタ２２から検査周波数８５０〜９６０ＭＨｚ、出力１０〜３０ｄＢｍの電力をアンテナコイル２１に供給して該アンテナコイル２１に磁束２３を発生させ、この磁場環境下にＲＦＩＤタグ１１のマッチング回路２０を入れて検査する検査方法である。
【００３２】
前記リーダライタ２２からの電力をアンテナコイル２１に供給したとき、このアンテナコイル２１からは、電波ではなく、磁束２３を発信させ、この発信された磁束２３がマッチング回路２０の内部を通過することによってＲＦＩＤタグ１１に誘導起電力が供給されてＲＦＩＤタグ１１は動作される。
【００３３】
この検査方法では、ＲＦＩＤタグ１１のアンテナ１５に形成された小さなマッチング回路２０を、リーダライタ２２のアンテナコイル２１から発生させた小さな磁場（磁束２３）環境下に入れるだけで、該ＲＦＩＤタグ１１の検査が可能になる。このため、ＵＨＦ帯用に設けられた平板状のＲＦＩＤタグ１１のアンテナ１５全体をＵＨＦ帯の電波環境下に入れなくても、該ＲＦＩＤタグ１１との交信が可能になり、小さな磁場環境下での検査が可能になる。
【００３４】
この結果、ＵＨＦ帯用のＲＦＩＤタグ１１の検査に小さな磁場を利用し、広域の電波を用いないため、電波を発信するアンテナを、電波シールドボックスなどの電波遮蔽装置で覆う必要がなくなる。従って、検査対象(測定対象)のＲＦＩＤタグの周辺に別のＲＦＩＤタグが存在するような場合であっても、検査対象の１つのＲＦＩＤタグとのみ交信でき、別のＲＦＩＤタグとは干渉するおそれがない。
【００３５】
前記ＲＦＩＤタグ１１のマッチング回路２０の大きさと、リーダライタ２２のアンテナコイル２１の大きさとを同程度の大きさに設けるのは、双方の大きさの差が大きいと小さな磁場環境下で交信対応させるときにマッチングできなくなるためである。
【００３６】
また、磁束２３を発信するアンテナコイル２１は、小さなマッチング回路２０の大きさに合せて作製するため、ＲＦＩＤタグ１１のアンテナ１５の外形サイズやアンテナ１５の形状などが若干変わっても、局部的に対応させる該マッチング回路２０の部分は同じ構造であるためＲＦＩＤタグ１１の検査装置を変更することなく同一の検査装置を用いて検査することができる。
【００３７】
前記マッチング回路２０は略四角形状にくり貫いて設けているため、そのくり貫き形状に対応させてアンテナコイル２１を四角形状に設けている。この場合、アンテナコイル２１は１ターン〜数ターンのアンテナコイル２１に形成して磁束２３の安定した発生が得られるターン数に設けている。さらに、マッチング回路２０と、その上面に対設されるアンテナコイル２１との対向間隔は接触させて設けても同様に磁束２３を発信させて交信することができる。
【００３８】
前記リーダライタ２２は整合回路２４を介してアンテナコイル２１と接続している。この整合回路２４は図３の回路図に図示するように、可変コンデンサＣと可変リアクタンスＬとからなり、この整合回路２４を接続させることで、アンテナコイル２１に供給する電力を小さく抑えている。
【００３９】
図４はＲＦＩＤタグ１１の基材となるロール状のキャリアシート２５の上面に、複数のＲＦＩＤタグ１１を等間隔に整列して配置したＲＦＩＤタグロールに対して、これらのＲＦＩＤタグ１１を複数のリーダライタ２２ａ，２２ｂ，２２ｃにより一括して一定個数ずつ同時に検査できるようにしてＲＦＩＤタグ１１の検査能率を高めたＲＦＩＤタグ検査装置３０の一例を示す。
【００４０】
前記ＲＦＩＤタグ検査装置３０は、例えばＲＦＩＤタグを製造する製造ラインの終端部に設置され、製造後に導かれたＲＦＩＤタグ１１に対し、該ＲＦＩＤタグ検査装置３０によって製造されたＲＦＩＤタグ１１の交信状態を個別に検査する。
【００４１】
このＲＦＩＤタグ検査装置３０は、複数のリーダライタ２２ａ，２２ｂ，２２ｃと、ＲＦＩＤタグロールを端部から繰出して別途の芯に巻き取る駆動部(図示省略)と、これらを制御する制御部(図示省略)とで構成されている。そして、ＲＦＩＤタグロールの巻取り部間に展開された搬送路上において、ＲＦＩＤタグロールの上面に整列して搭載されたＲＦＩＤタグ１１と対応する上方位置に磁束発信用のリーダライタ２２ａ，２２ｂ，２２ｃのアンテナコイル２１ａ，２１ｂ，２１ｃを近接状態に設置して対設させている。これにより、搬送されてきたＲＦＩＤタグ１１はその搬送過程で対応した何れかのアンテナコイル２１ａ，２１ｂ，２１ｃの磁場環境下で通信して検査される。
【００４２】
なお、検査異常の際に、異常の有無を出力する出力部を設けることが好ましい。この出力部は、例えばアラーム音を鳴らす音声出力部、あるいは印刷等によって異常のあるＲＦＩＤタグ１１に印をつける印刷出力部等で構成できる。
【００４３】
このＲＦＩＤタグロールに対応した一括型の検査方法では、前記したように広域の通信領域にて交信する電波環境下ではなく、狭域の通信領域にて交信する磁場環境下を用いるため、複数のＲＦＩＤタグ１１を一括して検査することができる。例えば、３個の並列するリーダライタ２２ａ，２２ｂ，２２ｃの各アンテナコイル２１ａ，２１ｂ，２１ｃを、キャリアシート２５の上面に定間隔に並列する複数のＲＦＩＤタグ１１の各対応するマッチング回路２０に対設させれば、３個のＲＦＩＤ１１を同時に検査することができる。
【００４４】
ここで、各アンテナコイル２１ａ，２１ｂ，２１ｃは、キャリアシート２５上のＲＦＩＤタグ１１の整列間隔と同一の間隔に配置構成しているため、１回の検査で３つのＲＦＩＤタグ１１を検査することができる。このため、ＲＦＩＤタグ検査装置３０に備えられている図示しない制御部によって、一気に３段進めて再度次の３つを検査するように制御することができ、高速化した検査ができる。
【００４５】
ことに、ＲＦＩＤタグ１１が定間隔に連なったＲＦＩＤタグロールの仕様であっても、検査対象のＲＦＩＤタグと別のＲＦＩＤタグとを仕切るための電波シールドボックス等の電波遮蔽装置は要せず、ＲＦＩＤタグの検査装置を小型化できる。また、部品点数の削減に伴い簡略化して低コスト化を図ることができる。
【００４６】
図５は磁場環境下において交信するＲＦＩＤタグ１１の連続的な検査状態の一例を示す側面図である。検査対象のＲＦＩＤタグ１１と、磁束２３を発信するアンテナコイル２１ａとの対向間隔はＡｍｍ(例えば２ｍｍ)程度の僅かな距離を空けて、電気的な接続が不要な状態に配置している。このため、ＲＦＩＤタグ１１の表面に紙、あるいはＰＥＴ等の絶縁層２６が積層されていても、該ＲＦＩＤタグ１１の検査は可能である。また、図４ではＲＦＩＤタグ１１の上側にアンテナコイル２１ａを対設しているが、ＲＦＩＤタグ１１の基材となる下側のキャリアシート２５側より磁束２３を発信するアンテナコイル２１ｄを対設させても、ＲＦＩＤタグ１１の検査は可能である。何れの場合も、磁束２３の有効範囲は検査対象の隣のＲＦＩＤタグ１１にまで届かないため１つずつ確実に検査ができる。
【００４７】
ところで、各アンテナコイル２１，２１ａ，２１ｂ，２１ｃ，２１ｄからの磁束２３を受ける回路はインピーダンスのマッチング回路２０として、スリット１６ａを示したが、このほかにも磁束２３が抜けるための非導電部がある巻き形態の回路があれば、ＲＦＩＤタグ１１のアンテナ回路のどの部分を使用してもよい。但し、巻き形態の回路の両端がＩＣチップの２つの端子にそれぞれ接続されていることを要する。
【００４８】
例えば、図６に示すように、ダイポールアンテナ６１とループアンテナ６２とを組合せた巻き形態の回路６３を構成し、この巻き形態の回路６３上に、リーダライタ２２から整合回路２４を介して延設されたアンテナコイル２１を対設させ、該アンテナコイル２１から磁束２３を巻き形態の回路６３に発信させてもＲＦＩＤタグ６４の動作を検査することができる。
【００４９】
図７はアンテナ破壊用の剥離シール７１を備えたＲＦＩＤタグ７２を示し、このＲＦＩＤタグ７２は既述したＲＦＩＤタグ１１と同じく長方形のシート状に形成されたアンテナ回路基板１２と、該アンテナ回路基板１２より充分小さい長方形に形成されたＩＣモジュール１３を備えるだけでなく、図７(Ａ)に示すように、前記アンテナ回路基板１２のアンテナ１５の一側の上面に剥離シール７１を貼付けたものである。この剥離シール７１はＲＦＩＤタグ７２に形成された接着部分７３よりＩＣモジュール１３から見て外側に備えられている。
【００５０】
この剥離シール７１を備えることにより、該剥離シール７１を剥がした時点で、図７(Ｂ)に想像線で示すように、該剥離シール７１と一体のアンテナ回路基板１２は一側(接着部分７３の外側)が切り取られるごとく取除かれ、ＲＦＩＤタグ７２のアンテナ１５の構造を破壊させることができる。
【００５１】
従って、このＲＦＩＤタグ７２はアンテナ回路基板１２の一部が切り取られた後ではＵＨＦ帯の電波による通信機能を果さなくなり、例えば使用済となったＲＦＩＤタグ７２に対してはアンテナ構造を簡単に破壊して廃棄することができる。また、剥離シール７１によって一部が剥がされたＲＦＩＤタグ７２はアンテナ１５の一部が切り取られて不完全な状態になっているため一目で使用済であることが分る。また、使用済のＲＦＩＤタグ７２であっても、該ＲＦＩＤタグ７２に記録されている情報は既述したリーダライタ２２のアンテナコイル２１をＲＦＩＤタグ７２のマッチング回路に対設させれば、磁場環境下によりＲＦＩＤタグ７２に記録されている情報を交信許容させて読み取ることができる。
【００５２】
この場合、剥離シール７１とアンテナ１５との接着部分７３及びアンテナ回路基板１２とＩＣモジュール１３との接着部分７４は、ＲＦＩＤタグ７２の製造時に超音波溶接などによって予め圧着しておくが、ことに剥離シール７１に対してはＩＣモジュール１３に近い側を剥離位置特定用の接着部分７３に設定している。この剥離位置特定用の接着部分７３は剥離力が加えられたときの亀裂開始位置になり、剥離シール７１の剥離位置をある一点に特定することができる。この剥離位置を特定することで、ＲＦＩＤタグ７２に対する信頼性の高い破壊動作を実行できる。
【００５３】
このように、剥離シール７１によるアンテナ回路基板１２の剥離時に剥離シール７１の接着部分７３が剥離されるようにし、ＩＣモジュール１３の接着部分７４がアンテナ回路基板１２より剥ぎ取られないようにしている。さらに、剥離の容易化を図るために、前記アンテナ回路基板１２の剥離すべき位置に、予め剥離用の切れ目を入れておいてもよい。
【００５４】
前記ＲＦＩＤタグ１１，７２の検査に際しては、例えばＲＦＩＤタグ１１，７２を製造した後の出荷前の検査過程で該ＲＦＩＤタグ１１，７２の交信状態の検査を行うものである。
【００５５】
このほか、ＲＦＩＤタグ通信装置を形成してもよい。このＲＦＩＤタグ通信装置は、リーダライタ２２と、通信結果出力部と、これらを制御する制御部とで構成するとよい。通信の実行は、例えば押下スイッチ等の入力部を備え、この押下操作で通信を実行する。あるいは、ＲＦＩＤタグ１１が定期的に信号発信を行うものである場合に、この信号を受信することができる。
【００５６】
前記通信結果出力部は、液晶等の表示モニタ、プリンタ、またはデータ送信する通信装置とすることができ、通信結果はＲＦＩＤタグから読み取った読取データとする、あるいはＲＦＩＤタグ１１に書込みを行って書込成功か否かのデータとすることができる。この書込みは、例えばＲＦＩＤタグ１１の出荷前の書込みとすることができる。前記検査の識別判定に、例えば書込んだ情報を検査する書込検査を実行することが好ましい。
【００５７】
そして、ＲＦＩＤタグ１１，７２との通信に際しては、ＲＦＩＤタグ１１，７２のマッチング回路２０をアンテナコイル２１の磁場環境下に入れると、該ＲＦＩＤタグ１１，７２に通信すべき情報を読み取り書き込みする通信目的に適用することができ、ＲＦＩＤタグ１１，７２を通信目的に適用しても同様の作用効果が得られる。
【００５８】
上述のように、ＲＦＩＤタグのアンテナに形成された小さなマッチング回路を、磁場環境下に入れることで該ＲＦＩＤタグの検査が可能になる。このため、ＲＦＩＤタグの検査時に電波を使用しないので電波の拡散がなく、隣接する別のＲＦＩＤタグとの電波による干渉もなく、電波遮蔽装置を省略してＲＦＩＤタグの検査装置を小型化できる。また、アンテナコイルが小型であるため、複数のアンテナコイルと複数のＲＦＩＤタグとを同時に対応させることができる。これにより、一括した検査が可能になり、検査効率を向上できる。
【００５９】
この発明の構成と、上述の実施例との対応において、
この発明の剥離位置特定手段は、実施例の剥離シール７１に対応するも、
この発明は、上述の実施例の構成のみに限定されるものではなく、請求項に記載された技術思想に基づいて応用することができる。
【図面の簡単な説明】
【００６０】
【図１】ＵＨＦ帯の交信周波数を用いるＲＦＩＤタグの説明図。
【図２】ＲＦＩＤタグの検査状態を示す斜視図。
【図３】リーダライタの整合回路とアンテナコイルの概略構成図。
【図４】ＲＦＩＤタグロール用のＲＦＩＤタグ検査装置の使用状態を示す斜視図。
【図５】ＲＦＩＤタグの表面側と裏面側からとの検査状態を示す説明図。
【図６】他のアンテナ形態のＲＦＩＤタグの検査状態を示す斜視図。
【図７】剥離シールを備えたＲＦＩＤタグの剥離状態を示す説明図。
【図８】複数のＲＦＩＤタグとＵＨＦ帯のリーダライタのアンテナとを対向させた交信状態を示す斜視図。
【符号の説明】
【００６１】
１１，６４，７２…ＲＦＩＤタグ
１５…アンテナ
１９…ＩＣチップ
２０…マッチング回路
２１，２１ａ，２１ｂ，２１ｃ，２１ｄ…アンテナコイル
２２，２２ａ，２２ｂ，２２ｃ…リーダライタ
２３…磁束
３０…ＲＦＩＤタグ検査装置
７１…剥離シール
【図１】
0004725261.tif 000002
【図２】
0004725261.tif 000003
【図３】
0004725261.tif 000004
【図４】
0004725261.tif 000005
【図５】
0004725261.tif 000006
【図６】
0004725261.tif 000007
【図７】
0004725261.tif 000008
【図８】
0004725261.tif 000009